(57)【特許請求の範囲】
【請求項１】
第１媒体が上面に配置される板であって、前記第１媒体と異なる第２媒体を収容する容器が挿入される空間の上方に配置される板と、
前記板の面に沿って前記第１媒体が供給される供給方向または当該供給方向と反対の方向へ移動する移動部材と、
前記移動部材から前記供給方向に伸びるように当該移動部材に設けられ、前記第１媒体を当該供給方向へ案内するシート状の案内部材と、
前記移動部材を前記板に引き寄せる引寄部材と
を備え、
前記容器が前記空間から抜出された場合に、前記移動部材は前記引寄部材により前記板に引き寄せられて前記供給方向と反対の方向に移動し、前記案内部材は当該板に重なる位置に退避し、
前記容器が前記空間に挿入された場合に、前記移動部材は当該容器に押されて前記供給方向へ移動し、前記案内部材は前記位置から前記供給方向に突出する
ことを特徴とする案内装置。
【請求項２】
前記媒体は、上方から接する供給ロールによって前記供給方向へ供給され、
前記案内部材は、前記容器が前記空間に挿入された場合に、当該容器に収容された媒体によって押し上げられて、上面に配置された媒体を前記供給ロールに押し付ける方向に曲がる
ことを特徴とする請求項１に記載の案内装置。
【請求項３】
前記板は、前記容器が前記空間に挿入されていない場合に、当該容器が挿入される方向に沿って挿入されて、前記空間の上方に配置される
ことを特徴とする請求項１または２に記載の案内装置。
【請求項４】
前記案内部材よりも前記供給方向における後端側に配置され、当該案内部材の上面に配置された媒体のうち当該後端側の下面を支持する支持部材
を備えることを特徴とする請求項１から３のいずれか１項に記載の案内装置。
【請求項５】
請求項１から４のいずれか１項に記載の案内装置と、
前記案内装置に備えられた前記案内部材の上面に配置された前記媒体に上から接して、当該媒体を前記供給方向へ供給する供給ロールと、
前記供給ロールにより供給される媒体に画像を形成する画像形成部と
を備えることを特徴とする画像形成装置。
【発明の詳細な説明】
【技術分野】
【０００１】
本発明は、案内装置および画像形成装置に関する。
【背景技術】
【０００２】
特許文献１には、印字媒体が収納される収納部を覆う蓋体と、蓋体に開口され、印字媒体を挿入可能な媒体挿入口と、媒体カセットの収納部に収納され、媒体挿入口から挿入された印字媒体を搬送手段方向へと案内する手差用給紙部材とを有する印字装置媒体カセットが記載されている。
特許文献２には、用紙に対して処理部で所定の処理を施す主装置に備えられ、処理部に搬送すべき用紙を積載して収納する給紙カセットであって、少なくとも上面が開放した筐体と、それぞれが、筐体内に配置されるとともに、用紙を積載して収納する複数の収納部と、主装置から出力される選択データに応じて、複数の収納部のいずれかに収納されている最上部の用紙が単一の給紙位置に位置するように、複数の収納部の少なくとも１つを移動させる移動機構とを備えた給紙カセットが記載されている。
【先行技術文献】
【特許文献】
【０００３】
【特許文献１】特開２００７−６２８８７号公報
【特許文献２】特開２００８−１９５５２２号公報
【発明の概要】
【発明が解決しようとする課題】
【０００４】
本発明は、下方において容器が挿入された場合に突出し、抜出された場合に、その容器が挿入される空間の上方に配置される板に重なる位置に退避する案内部材以外の案内部材を用いる構成に比べて、案内部材が破損する可能性を低減させることを目的とする。
【課題を解決するための手段】
【０００５】
本発明の請求項１に係る案内装置は、第１媒体が上面に配置される板であって、前記第１媒体と異なる第２媒体を収容する容器が挿入される空間の上方に配置される板と、前記板の面に沿って前記第１媒体が供給される供給方向または当該供給方向と反対の方向へ移動する移動部材と、前記移動部材から前記供給方向に伸びるように当該移動部材に設けられ、前記第１媒体を当該供給方向へ案内するシート状の案内部材と、前記移動部材を前記板に引き寄せる引寄部材とを備え、前記容器が前記空間から抜出された場合に、前記移動部材は前記引寄部材により前記板に引き寄せられて前記供給方向と反対の方向に移動し、前記案内部材は当該板に重なる位置に退避し、前記容器が前記空間に挿入された場合に、前記移動部材は当該容器に押されて前記供給方向へ移動し、前記案内部材は前記位置から前記供給方向に突出することを特徴とする。
【０００６】
本発明の請求項２に係る案内装置は、請求項１に記載の態様において、前記媒体は、上方から接する供給ロールによって前記供給方向へ供給され、前記案内部材は、前記容器が前記空間に挿入された場合に、当該容器に収容された媒体によって押し上げられて、上面に配置された媒体を前記供給ロールに押し付ける方向に曲がることを特徴とする。
【０００７】
本発明の請求項３に係る案内装置は、請求項１または２に記載の態様において、前記板は、前記容器が前記空間に挿入されていない場合に、当該容器が挿入される方向に沿って挿入されて、前記空間の上方に配置されることを特徴とする。
【０００８】
本発明の請求項４に係る案内装置は、請求項１から３のいずれか１項に記載の態様において、前記案内部材よりも前記供給方向における後端側に配置され、当該案内部材の上面に配置された媒体のうち当該後端側の下面を支持する支持部材を備えることを特徴とする。
【０００９】
本発明の請求項５に係る画像形成装置は、請求項１から４のいずれか１項に記載の案内装置と、前記案内装置に備えられた前記案内部材の上面に配置された前記媒体に上から接して、当該媒体を前記供給方向へ供給する供給ロールと、前記供給ロールにより供給される媒体に画像を形成する画像形成部とを備えることを特徴とする。
【発明の効果】
【００１０】
請求項１、５に係る発明によれば、下方において容器が挿入された場合に突出し、抜出された場合に退避する案内部材以外の案内部材を用いる構成に比べて、案内部材が破損する可能性を低減させることができる。
請求項２に係る発明によれば、下方に挿入された容器に収容された媒体を介して、上面に配置された媒体を押し上げて供給することができる。
請求項３に係る発明によれば、容器が挿入されていない場合に、板を着脱することができる。
請求項４に係る発明によれば、容器が挿入されているかいないかに関わらず、支持部材を着脱することができる。
【図面の簡単な説明】
【００１１】
【図１】本実施形態に係る画像形成装置の全体構成を示す図である。
【図２】案内装置の概要を示す図である。
【図３】図２に示した案内装置の詳細を説明するための図である。
【図４】案内装置を下方から上方に向かって見た図である。
【図５】被押圧部材が押圧されていないときの案内装置を下方から見た図である。
【図６】案内部材が板に重なる位置に配置された様子を示す図である。
【図７】容器が挿入されるときの案内装置の動作を説明するための図である。
【図８】押圧部材が被押圧部材に接触した様子を示す図である。
【図９】変形例における案内装置の概要を示す図である。
【図１０】変形例における案内装置の詳細を説明するための図である。
【図１１】変形例における案内部材が板に重なる位置に退避した状態を示す図である。
【図１２】変形例において容器が挿入されたときの案内装置の動作を示す図である。
【図１３】支持部材を説明するための図である。
【図１４】支持部材が挿入された様子を示す図である。
【発明を実施するための形態】
【００１２】
１．実施形態
１−１．全体構成
図１は、本実施形態に係る画像形成装置１の全体構成を示す図である。同図に示すように、画像形成装置１は、案内装置１１と、供給部１２と、現像部１３Ｙ，１３Ｍ，１３Ｃ，１３Ｋと、転写部１４と、加熱部１５と、搬送部１６と、容器１７と、筐体１８とを備えている。なお、符号のＹ，Ｍ，Ｃ，Ｋはそれぞれ、イエロー、マゼンタ、シアン、ブラックのトナーに対応した構成であることを意味している。現像部１３Ｙ，１３Ｍ，１３Ｃ，１３Ｋのそれぞれは、用いるトナーが異なるのみであって、その構成に大きな差異はない。以下、現像部１３Ｙ，１３Ｍ，１３Ｃ，１３Ｋのそれぞれを特に区別する必要がない場合には、トナーの色を示す符号末尾のアルファベットを省略して「現像部１３」とする。
【００１３】
容器１７は、予め定められたサイズにカットされた、媒体としての用紙Ｐが収容される容器である。案内装置１１は、いわゆる画像が形成される媒体を手差しする装置であり、上面に用紙Ｐを配置して、その用紙Ｐを供給部１２に供給させる装置である。案内装置１１は、容器１７が挿入される空間の上方に配置される。以下、これらの用紙Ｐを区別する場合、案内装置１１の上面に配置される用紙Ｐを第１用紙Ｐ１（第１媒体）と呼び、容器１７に収容される用紙Ｐを第２用紙Ｐ２（第２媒体）と呼ぶ。
【００１４】
供給部１２は、用紙Ｐに接触してこの用紙Ｐを搬送部１６へ供給する供給ユニットを有する。案内装置１１に収容されている用紙Ｐは、図示しない制御部の指示により供給ユニットによって１枚ずつ取り出され、搬送部１６に供給される。なお、媒体は用紙に限らず、例えば樹脂製のシート等であってもよい。要するに、媒体は、表面に画像を記録し得るものであればよい。
【００１５】
搬送部１６は、搬送ロールを有する。搬送部１６は、供給部１２から供給された用紙Ｐを転写部１４へ搬送する。また、搬送部１６は、転写部１４および加熱部１５を経た用紙Ｐを画像形成装置１の筐体外部に搬送する。
【００１６】
各現像部１３は、感光体ドラム３１と、帯電器３２と、露光装置３３と、現像器３４と、一次転写ロール３５と、ドラムクリーナ３６とを備えている。感光体ドラム３１は電荷発生層や電荷輸送層を有する像保持体であり、図示しない駆動部により図中の矢印Ｄ１３の方向に回転させられる。帯電器３２は感光体ドラム３１の表面を帯電させる。露光装置３３はレーザ発光源やポリゴンミラー等（いずれも図示せず）を備え、制御部の制御の下、画像データに応じたレーザ光を、帯電器３２により帯電させられた後の感光体ドラム３１に向けて照射する。これにより、各感光体ドラム３１には潜像が保持される。なお、上記の画像データは、制御部が図示しない通信部を介して外部装置から取得したものであってもよい。外部装置とは、例えば原画像を読み取る読取装置や画像を示すデータを記憶した記憶装置等である。
【００１７】
現像器３４はＹ，Ｍ，Ｃ，Ｋのいずれかの色のトナーと、フェライト粉等の磁性キャリアを含む二成分現像剤を収容する。そして現像器３４に形成された磁気ブラシの穂先が感光体ドラム３１の表面に接触することで、トナーは感光体ドラム３１表面で露光装置３３により露光された部分、すなわち静電潜像の画線部に付着し、感光体ドラム３１に画像が形成（現像）される。
【００１８】
一次転写ロール３５は転写部１４の中間転写ベルト４１が感光体ドラム３１と対向する位置において予め定めた電位差を生じさせ、この電位差によって中間転写ベルト４１に画像を転写する。ドラムクリーナ３６は、画像の転写後に感光体ドラム３１の表面に残留している未転写のトナーを取り除き、感光体ドラム３１表面を除電する。即ち、ドラムクリーナ３６は、次の画像形成に備えて、感光体ドラム３１から不要なトナーや電荷を除去するものである。
【００１９】
転写部１４は、中間転写ベルト４１と、二次転写ロール４２と、ベルト搬送ロール４３と、バックアップロール４４とを備えており、現像部１３によって形成された画像を、ユーザの操作に応じて決められた紙種の用紙Ｐに転写する転写部である。中間転写ベルト４１は無端のベルト部材であり、ベルト搬送ロール４３およびバックアップロール４４はこの中間転写ベルト４１を張架する。ベルト搬送ロール４３およびバックアップロール４４の少なくとも１つには駆動部（図示せず）が備えられており、中間転写ベルト４１を図中の矢印Ｄ１４方向に移動させる。なお、駆動部を有さないベルト搬送ロール４３またはバックアップロール４４は、中間転写ベルト４１の移動に従動して回転する。中間転写ベルト４１が図中の矢印Ｄ１４方向に移動して回転することにより、中間転写ベルト４１上の画像は、二次転写ロール４２とバックアップロール４４とに挟まれる領域に移動させられる。
【００２０】
二次転写ロール４２は、中間転写ベルト４１との電位差によって、中間転写ベルト４１上の画像を搬送部１６から搬送されてきた用紙Ｐに転写させる。ベルトクリーナ４９は、中間転写ベルト４１の表面に残留している未転写のトナーを取り除く。そして、転写部１４または搬送部１６は、画像が転写された用紙Ｐを加熱部１５へと搬送する。なお、現像部１３および転写部１４は、本発明における媒体に画像を形成する画像形成手段の一例である。
【００２１】
加熱部１５は、例えば磁界を発生させる磁界発生回路と、発生した磁界が作用して生じる電磁案内によって発熱する加熱ベルトと、加熱ベルトとの間で用紙Ｐを挟んで搬送する加圧ロールとを有する。加熱部１５は、用紙Ｐを加熱して用紙Ｐに転写された画像を定着させる。
【００２２】
１−２．案内装置の構成
図２は、案内装置１１の概要を示す図である。以下、図において、案内装置１１の各構成の配置を説明するため、各構成が配置される空間をｘｙｚ右手系座標空間として表す。また、図に示す座標記号のうち、白い円の中に交差する２本の線分を描いた記号は、紙面手前側から奥側に向かう矢印を表している。空間においてｘ軸に沿う方向をｘ軸方向という。また、ｘ軸方向のうち、ｘ成分が増加する方向を＋ｘ方向といい、ｘ成分が減少する方向を−ｘ方向という。ｙ、ｚ成分についても、ｙ軸方向、＋ｙ方向、−ｙ方向、ｚ軸方向、＋ｚ方向、−ｚ方向を定義する。なお、供給部１２が案内装置１１から用紙Ｐを取り出して搬送部１６に供給する方向は＋ｙ方向であり、案内装置１１や容器１７において用紙Ｐが積載される方向は＋ｚ方向であり、用紙Ｐの幅方向はｘ軸方向である。そして、画像形成装置１において下方、すなわち、重力のはたらく方向は−ｚ方向である。
【００２３】
板１１１は、第１用紙Ｐ１が上面に配置される板であって、容器１７が挿入される空間の上方に配置される。移動部材１１２は、用紙Ｐが供給される方向（以下、供給方向という）またはその反対の方向に向かって、板１１１の面（本実施形態においては下面）に沿って移動する部材である。移動部材１１２には、供給方向に伸びるように案内部材１１３が設けられている。案内部材１１３は、可とう性を有するシート状の部材であり、樹脂などによって構成されている。図２には、移動部材１１２が板１１１の面に沿って供給方向に移動して、案内部材１１３を板１１１に重なる位置から供給方向に突出させている状態が示されている。移動部材１１２が案内部材１１３を供給方向に突出させているため、案内部材１１３の端部うち、供給方向の側、すなわち＋ｙ方向の側の端部は、突出させられる前よりも供給部１２の供給ロールに近づいている。案内部材１１３の上面に配置される第１用紙Ｐ１は、供給方向に案内されて、供給ロールに近づいた端部から供給ロールによって搬送部１６へ供給される。
【００２４】
図３は、図２に示した案内装置１１の詳細を説明するための図である。移動部材１１２は、被押圧部材１１２１と突起部１１２２とを、＋ｘ方向および−ｘ方向の各端部にそれぞれ１つずつ有する。板１１１は、ｙ軸方向に沿って伸びる長穴１１１１と、案内部材１１３の上面に配置された第１用紙Ｐ１の幅方向の位置を決めるサイドガイド１１１２と、＋ｘ方向および−ｘ方向にそれぞれ１つずつを有する。
【００２５】
被押圧部材１１２１は、移動部材１１２の上述した各端部からいずれも−ｚ方向に伸びており、−ｙ方向から＋ｙ方向に向かって押す力を受け止める面を有する。突起部１１２２は、それぞれ同じ側に設けられた長穴１１１１に通されており、長穴１１１１の長手方向、すなわち、ｙ軸方向に沿って移動する。これにより、移動部材１１２は、ｙ軸方向に沿って板１１１の下面に沿って移動する。そして、移動部材１１２がｙ軸方向に沿って移動することにより、移動部材１１２に設けられた案内部材１１３は、ｙ軸方向に沿って移動する。
【００２６】
図４は、案内装置１１を下方から上方に向かって、すなわち−ｚ方向から＋ｚ方向に向かってｚ軸方向に沿って見た図である。案内装置１１は、移動部材１１２を板１１１に引き寄せる引寄部材としてバネ１１４を、＋ｘ方向および−ｘ方向の各端部にそれぞれ１つずつ有する。バネ１１４は、供給方向に沿って移動部材１１２と板１１１とに掛け渡されている。バネ１１４の供給方向における後端１１４１は、板１１１に固定されており、供給方向における前端１１４２は、移動部材１１２に固定されている。これにより、バネ１１４は、図４に示す矢印Ｄａ方向、すなわち、−ｙ方向に移動部材１１２を引き寄せる。なお、−ｙ方向は、供給方向である＋ｙ方向と反対の方向である。被押圧部材１１２１が、矢印Ｄａ方向に抗う方向、つまり、＋ｙ方向に向かって押圧されていると、図４に示したように、移動部材１１２は＋ｙ方向に移動して、案内部材１１３を板１１１と重なる位置から供給方向における前方に突出させる。
【００２７】
一方、被押圧部材１１２１が＋ｙ方向に沿って押圧されていない場合、バネ１１４が移動部材１１２を板１１１に引き寄せる。図５は、被押圧部材１１２１が押圧されていないときの案内装置１１を下方から見た図である。この場合、バネ１１４が移動部材１１２を板１１１に引き寄せるため、案内部材１１３は、板１１１に重なる位置に配置される。なお、このとき案内部材１１３は全面が板１１１に重なる必要はなく、少なくとも一部が板１１１に重なる位置に配置されればよい。ただし、案内部材１１３を保護するという観点から、図５に示したように案内部材１１３の全面が板１１１に重なる位置に配置されることが望ましい。
【００２８】
図６は、案内部材１１３が板１１１に重なる位置に配置された様子を示す図である。上述したとおり、案内部材１１３は、可とう性のあるシート状の部材であるが、板１１１は、案内部材１１３よりも高い剛性を有している部材である。そのため、図６に示した位置に配置されたとき、案内部材１１３は、板１１１のある側である上方から何らかの力を受けたとしても、板１１１によって保護されるため、破損し難い。
【００２９】
１−３．案内装置の動作
図７は、容器１７が挿入されるときの案内装置１１の動作を説明するための図である。容器１７は、用紙Ｐの幅方向の両側（＋ｘ方向および−ｘ方向）にそれぞれ突出した押圧部材１７１を有する。容器１７を案内装置１１の下方の空間に向けて＋ｙ方向に挿入すると、両側の押圧部材１７１は、それぞれ同じ側に設けられている被押圧部材１１２１に接触し、被押圧部材１１２１を＋ｙ方向に押圧する。
【００３０】
図８は、押圧部材１７１が被押圧部材１１２１に接触した様子を示す図である。容器１７が挿入されるとき、図８に示すように、押圧部材１７１は、矢印Ｄｂ方向に向かって移動し、被押圧部材１１２１に突き当たる。被押圧部材１１２１が押圧部材１７１によるこの力を受けると、バネ１１４の弾性力に抗って矢印Ｄｂ方向に移動する。このとき、突起部１１２２は長穴１１１１に沿って移動するため、移動部材１１２は、＋ｙ方向に移動する。その結果、案内部材１１３は、板１１１に重なる位置から＋ｙ方向に突出する。
【００３１】
容器１７は、挿入方向における前方側に、図１において概略を示したリフト１７９を有する。リフト１７９は、バネなどの押上部材によって第２用紙Ｐ２の挿入方向における前方側の端部を上方に押し上げる装置である。リフト１７９は、容器１７が画像形成装置１の筐体１８の奥に突き当たっていない間は、上方に部材が配置され、その部材によって押上部材の弾性力を抑制されている。容器１７が挿入されて、画像形成装置１の筐体１８の奥に突き当たると、上述した部材がリフト１７９の上方から取り除かれるため、押上部材の弾性力が解放される。そして、リフト１７９は、第２用紙Ｐ２の挿入方向における前方側の端部を上方に押し上げる。
【００３２】
容器１７が画像形成装置１の筐体１８の奥に突き当たっているとき、リフト１７９の上方には、移動部材１１２によって、板１１１と重なる位置から供給方向における前方に突出させられた案内部材１１３が配置されている。案内部材１１３は、可とう性を有するシート状の部材であるため、リフト１７９によって押し上げられた第２用紙Ｐ２によって下面から押し上げられ、上方に向かって曲がる。リフト１７９および案内部材１１３の上方には、供給部１２の供給ロールが配置されているので、上方に向かって曲がった案内部材１１３は、上面に配置された第１用紙Ｐ１を供給部１２の供給ロールに押し付ける。すなわち、案内部材１１３は、容器１７が挿入されている場合に、容器１７に収容された第２用紙Ｐ２（媒体）によって押し上げられて、上面に配置された第１用紙Ｐ１を供給ロールに押し付ける方向に曲がる。
【００３３】
なお、案内部材１１３は、図２、３に示した切欠部１１３１を有する。切欠部１１３１は、案内部材１１３の端部のうち、供給方向における前方側の端部であって、幅方向において中央に位置しており、幅方向における両側に比べて後方側へ欠けている部分である。供給部１２の供給ロールはこの切欠部１１３１の上方に配置されるため、案内部材１１３の上面に配置された第１用紙Ｐ１が全て無くなると、供給ロールは、案内部材１１３の下方にあり、容器１７に収容されて案内部材１１３を押し上げている第２用紙Ｐ２に接触する。したがって、案内部材１１３の上面に配置された第１用紙Ｐ１が全て無くなった場合、供給部１２の供給ロールは、容器１７から第２用紙Ｐ２を取り出して搬送部１６に供給する。
【００３４】
以上、説明したように、案内装置１１の移動部材１１２は、容器１７が案内装置１１の下方の空間に挿入された場合に、この容器１７に押されて供給方向へ移動し、案内部材１１３を板１１１に重なる位置から供給方向に突出させるので、案内部材１１３の上面に配置された第１用紙Ｐ１は供給部１２によって供給される。また、容器１７が案内装置１１の下方の空間から抜出された場合に、移動部材１１２は、バネ１１４により板１１１に引き寄せられ、案内部材１１３は板１１１に重なる位置に退避するので、可とう性を有する案内部材１１３は、板１１１によって保護される。また、容器１７が抜出される軌道上に案内部材１１３があったとしても、容器１７が抜出される途中で案内部材１１３は、退避するので破損し難い。
【００３５】
２．変形例
以上が実施形態の説明であるが、この実施形態の内容は以下のように変形し得る。また、以下の変形例を組み合わせてもよい。
２−１．変形例１
案内装置１１が画像形成装置１の筐体１８に対して脱着可能に構成されていてもよい。例えば、板１１１は、容器１７が筐体１８の内部空間に挿入されていない場合に、容器１７が挿入される方向に沿って挿入されて、容器１７が挿入される空間の上方に配置されてもよい。この場合、筐体１８の内壁の部位であって、板１１１の幅方向の両端、すなわち、＋ｘ方向側の端と−ｙ方向側の端に対向する部位に、それぞれ設けられた溝に沿って、案内装置１１が移動するように構成されていればよい。なお、この場合、案内装置１１の被押圧部材１１２１は、容器１７が挿入されるときに、容器１７の押圧部材１７１によって＋ｙ方向に押圧されるので、案内装置１１は、容器１７が挿入される前に筐体１８に装着されている必要がある。
【００３６】
２−２．変形例２
上述した実施形態において、移動部材１１２は、供給方向に向かって、板１１１の下面に沿って移動する部材であったが、板１１１の上面に沿って移動する部材であってもよい。図９は、この変形例における案内装置１１ａの概要を示す図である。案内装置１１ａは、板１１１ａと、移動部材１１２ａと、案内部材１１３ａとを有する。案内部材１１３ａは、実施形態で説明した案内部材１１３と同形状の部材である。移動部材１１２ａは、実施形態で説明した移動部材１１２に相当する部材であるが、突起部の構成が異なっている。板１１１ａは、実施形態で説明した板１１１に相当する部材であるが、移動部材１１２ａを下方から支持し、その上面に沿って移動させる点において板１１１と異なる。
【００３７】
図１０は、案内装置１１ａの詳細を説明するための図である。移動部材１１２ａは、
被押圧部材１１２１ａと突起部１１２２ａとを、＋ｘ方向および−ｘ方向の各端部にそれぞれ１つずつ有する。被押圧部材１１２１ａは、移動部材１１２の上述した各端部からいずれも−ｚ方向に伸びており、−ｙ方向から＋ｙ方向に向かって押す力を受け止める面を有する。筐体１８ａは、実施形態で説明した筐体１８に相当する構成であるが、筐体１８ａには、＋ｘ方向の内壁および−ｘ方向の内壁において、案内装置１１ａに面した部位に、それぞれｙ軸方向に伸びる溝１８１ａが設けられている。突起部１１２２ａは、筐体１８のそれぞれ同じ側に設けられた溝１８１ａに通されており、溝１８１ａの長手方向、すなわち、ｙ軸方向に沿って移動する。
【００３８】
移動部材１１２ａは、図示しない引寄部材により、引っ張られ、または押されて、図１０に示す矢印Ｄｃ方向、すなわち、−ｙ方向に移動する力を付与される。被押圧部材１１２１ａが＋ｙ方向に押圧されている間は、引寄部材が抑制されているため、図１０に示すように、案内部材１１３ａが板１１１ａに重なる位置から＋ｙ方向に突出する。
【００３９】
一方、被押圧部材１１２１ａが＋ｙ方向に押圧されていないと、引寄部材の弾性力によって移動部材１１２ａが矢印Ｄｃ方向に移動するため、案内部材１１３ａは、板１１１ａに重なる位置に退避する。図１１は、案内部材１１３ａが板１１１ａに重なる位置に退避した状態を示す図である。案内部材１１３ａは、上面に沿って移動して図１１に示すように、板１１１ａに重なる位置に退避する。これにより、案内部材１１３ａは、下面を板１１１ａによって覆われるため、例えば、ユーザの誤った操作によって下面から力を受けたとしても、板１１１ａによって保護される場合があり、破損し難い。
【００４０】
図１２は、この変形例において容器１７ａが挿入されたときの案内装置１１の動作を示す図である。容器１７ａは、上述した実施形態と同じように押圧部材１７１ａを備える。容器１７ａが案内装置１１ａの下方に挿入されるとき、この押圧部材１７１ａが移動部材１１２ａの被押圧部材１１２１ａに接触して矢印Ｄｄ方向に押圧する。その結果、案内部材１１３ａは、板１１１ａに重なる位置から＋ｙ方向に突出する。
【００４１】
２−３．変形例３
上述した変形例の板１１１ａは、筐体１８ａに固定されていてもよいが、筐体１８ａに対して脱着可能に構成されていてもよい。
【００４２】
２−４．変形例４
上述した変形例の案内装置１１ａは、案内部材１１３ａの上面に配置される第１用紙Ｐ１の後端を支える支持部材１１５を有していてもよい。図１３は、支持部材１１５を説明するための図である。案内部材１１３ａおよび移動部材１１２ａは図１３に示したように、ｙ軸方向の長さが筐体１８に比べて短い。そして、板１１１ａもｙ軸方向の長さが筐体１８に比べて短く、案内部材１１３ａよりも下方に配置される。したがって、案内部材１１３ａの上面に配置される第１用紙Ｐ１は、供給方向における前方側が下方から支持されるが、供給方向における後方側が下方から支持されない。支持部材１１５は、この第１用紙Ｐ１の、供給方向における後方側を下方から支持する部材である。支持部材１１５は、筐体１８ａの内壁であって、幅方向の両端に設けられた溝に沿って、図１３に示す矢印Ｄｅ方向に挿入される。すなわち、支持部材１１５は、案内部材１１３ａよりも、供給方向における後端側に配置され、案内部材１１３ａの上面に配置された第１用紙Ｐ１のうち後端側の下面を支持する。
【００４３】
図１４は、支持部材１１５が挿入され、少なくとも一部が板１１１ａに重なる位置に配置された様子を示す図である。この配置において、支持部材１１５は、板１１１ａに重なる部位を有するので、案内部材１１３ａの上面に配置された第１用紙Ｐ１を下方から支持する。この構成によれば、支持部材１１５は、移動部材１１２ａのｙ軸方向に沿った移動に関係していないため、容器１７ａよりも先に挿入されてもよいし、後に挿入されてもよい。
【符号の説明】
【００４４】
１…画像形成装置、１１…案内装置、１１ａ…案内装置、１１１…板、１１１ａ…板、１１１１…長穴、１１１２…サイドガイド、１１２…移動部材、１１２ａ…移動部材、１１２１…被押圧部材、１１２１ａ…被押圧部材、１１２２…突起部、１１２２ａ…突起部、１１３…案内部材、１１３ａ…案内部材、１１３１…切欠部、１１４…バネ、１１４１…後端、１１４２…前端、１１５…支持部材、１２…供給部、１３…現像部、１４…転写部、１５…加熱部、１６…搬送部、１７…容器、１７ａ…容器、１７１…押圧部材、１７１ａ…押圧部材、１７９…リフト、１８…筐体、１８ａ…筐体、１８１ａ…溝、３１…感光体ドラム、３２…帯電器、３３…露光装置、３４…現像器、３５…一次転写ロール、３６…ドラムクリーナ、４１…中間転写ベルト、４２…二次転写ロール、４３…ベルト搬送ロール、４４…バックアップロール、４９…ベルトクリーナ、Ｐ…用紙、Ｐ１…第１用紙、Ｐ２…第２用紙。
【図１】
0005906858.tif 000002
【図２】
0005906858.tif 000003
【図３】
0005906858.tif 000004
【図４】
0005906858.tif 000005
【図５】
0005906858.tif 000006
【図６】
0005906858.tif 000007
【図７】
0005906858.tif 000008
【図８】
0005906858.tif 000009
【図９】
0005906858.tif 000010
【図１０】
0005906858.tif 000011
【図１１】
0005906858.tif 000012
【図１２】
0005906858.tif 000013
【図１３】
0005906858.tif 000014
【図１４】
0005906858.tif 000015